(57)【要約】  本発明は、製氷ドラムがドラム通路で開放される製氷機を提供する。製氷ドラムの一側面に設置され、支え部分がフレームに組み立てられる配管軸、前記配管軸の中心に設置されて配管軸の両端で開けられるドラム通路、前記ドラム通路を冷媒が漏れないように閉めて配管軸と共に回転されるドラム蓋、前記回転部品ドラム蓋に固定部品として組み立てられる芯軸、前記ドラム通路と芯軸にシール組立体とに分けて設置されて回転部品と固定部品との間で冷媒の漏れを遮断する回転シール及び固定シール、及び冷媒管路を製氷ドラムの中に入れ込むために芯軸の中心に設置される空間が備えられ、紫外線光殺菌装置と製氷ドラム、製氷水ポンプ、冷媒圧縮機の駆動量積算計器が備えられるスノーアイス製氷機である。本発明のスノーアイス製氷機は、フレームの外で製氷ドラムを開け、製氷ドラム内部構成の部品を取り替えたり、部品の故障を修理したりすることができ、製氷制御部の制御で製氷水を殺菌処理し、駆動量積算計器を製氷機の管理に有効に利用することができる。
2018507380.tif 000002
【特許請求の範囲】
【請求項１】
製氷ドラム、配管軸、配管軸中心の芯軸が組み立てられるドラム通路、芯軸組み立てドラム通路のドラム蓋及びカッターを備えて製氷ドラムの表面に水を凍らせ、カッターで製氷ドラムの表面の氷を削り取るスノーアイス製氷機において、
前記配管軸は、前記製氷ドラムの一方をフレームに支持し、前記芯軸とは分離されて前記芯軸が直接に支持されないように中心に前記ドラム通路を提供し、
前記ドラム通路は、前記芯軸が中心に設置され、前記ドラム蓋を開けたときに前記芯軸が分離し、前記製氷ドラムが開放されることができるように提供され、
前記ドラム蓋は、前記ドラム通路を開閉するように前記配管軸に組み立てられ、前記芯軸が組み立てられ、組み立てられた芯軸を前記ドラム通路に直接に支持されないように前記配管軸に支持させ、前記製氷ドラムがフレームに組み立てられた状態で前記芯軸を前記配管軸の外に取り出すことができるように提供され、
前記配管軸は、製氷ドラムをフレームに組み立てるための支え部分と、レンチ溝が備えられ、
前記ドラム通路の端の密閉シートと、ドラム蓋のキャップシートを備えたことを特徴とするスノーアイス製氷機。
【請求項２】
前記配管軸の外周のドラム蓋組み立て用ねじと、前記ドラム蓋の配管軸組み立て用キャップねじを備えたことを特徴とする請求項１に記載のスノーアイス製氷機。
【請求項３】
前記芯軸を組み立てるための前記ドラム蓋のキャップ通路と、芯軸の移動を防止するためのキャップ通路の環顎と、キャップ通路に組み立てられる芯軸と、芯軸とドラム蓋との間に備えられる冷媒の漏れ防止手段を備えたことを特徴とする請求項１に記載のスノーアイス製氷機。
【請求項４】
前記キャップ通路にある環顎は、前記ドラム蓋の胴体から分離製作されてドラム蓋の胴体に組み立てられたことを特徴とする請求項３に記載のスノーアイス製氷機。
【請求項５】
前記製氷ドラムの駆動軸と前記配管軸の軸表面にフッ素樹脂層がコーティングされたことを特徴とする請求項１に記載のスノーアイス製氷機。
【請求項６】
前記ドラム蓋は、キャップ通路の端の環状通路蓋組み立て用ねじと、前記ねじに組み立てられる環状通路蓋を備え、キャップ通路に弾性体リングが挿入されて弾性体リングのパッキング部分がキャップ通路の端でドラム蓋と通路蓋の間に噛ませるように組み立てられ、弾性体リングの端に回転シールが付着され、芯軸に組み立てられている固定シールに弾性体リングの弾性で回転シールを密着させることを特徴とする請求項３に記載のスノーアイス製氷機。
【請求項７】
前記通路蓋にレンチ溝がさらに備えられたことを特徴とする請求項６に記載のスノーアイス製氷機。
【請求項８】
前記キャップ通路に外側へ開けられるように製作されたスプリング挿入用スプリングホールと、前記芯軸をキャップ通路に収容して支える前記ドラム蓋のキャップボディと、スプリングホールの入り口の芯軸支え用ベアリングと、キャップボディの端のシールシートに組み立てられる回転シールの構成であることを特徴とする請求項３に記載のスノーアイス製氷機。
【請求項９】
前記芯軸とホール蓋は、ねじで組み立てられてねじ操作でスプリングを押す力が調節され、ホール蓋の緩み防止手段を含むことを特徴とする請求項８に記載のスノーアイス製氷機。 
【請求項１０】
前記キャップ通路に製氷ドラムの方へ開けられるように製作されたシリンダと、シリンダ内面の鏡面と、前記芯軸に組み立てられる一つ以上のテフロンリップシールと、前記テフロンリップシールのＯリングが前記シリンダ内においてゴム弾性で前記鏡面に密着されたことを特徴とする請求項３に記載のスノーアイス製氷機。
【請求項１１】
前記ドラム蓋は、キャップボディに外側へ開けられるようにキャップ通路に設置されたシリンダと、前記シリンダの鏡面と、前記シリンダを開閉する通路蓋と、芯軸に組み立てられる一つ以上のテフロンリップシールと、前記テフロンリップシールのＯリングが前記シリンダ内においてゴム弾性で前記鏡面に密着されたことを特徴とする請求項３に記載のスノーアイス製氷機。
【請求項１２】
前記テフロンリップシールは、テフロンリングの内側の穴に芯軸と気密状態で組み立てられるための複数のリップが設置され、テフロンリングの外周に環溝が設置されてＯリングが組み立てられたことを特徴とする請求項１０又は１１に記載のスノーアイス製氷機。
【請求項１３】
前記ドラム蓋は、キャップ通路に製氷ドラムの方へ開くように設置されたシリンダと、前記シリンダの潤滑層と、前記芯軸に備えられたドラムと、前記ドラムに組み立てられたＯリングが前記シリンダの潤滑層にＯリングのゴム弾性で密着されたことを特徴とする請求項３に記載のスノーアイス製氷機。
【請求項１４】
前記シリンダ潤滑層は、前記キャップ通路のシリンダ内面に設置された鏡面であることを特徴とする請求項１３に記載のスノーアイス製氷機。
【請求項１５】
前記シリンダ内面の潤滑層は、テフロンカップであることを特徴とする請求項１４に記載のスノーアイス製氷機。
【請求項１６】
前記ドラム蓋のキャップ通路に組み立てられる芯軸は、芯軸の内部に冷媒管路を組み立てるための空間と、冷媒管路を芯軸に付着するための芯軸の端の連結部と、ドラム蓋のキャップ通路に組み立てられて芯軸が離脱されないようにする手段が備えられることを特徴とする請求項３に記載のスノーアイス製氷機。
【請求項１７】
前記芯軸が離脱されないようにする手段として、芯軸の環溝にＥリングが挿入されたことを特徴とする請求項１６に記載のスノーアイス製氷機。
【請求項１８】
前記芯軸が離脱されないようにする手段として、芯軸の周りに形成したねじと、ねじに組み立てられるナットが備えられたことを特徴とする請求項１６に記載のスノーアイス製氷機。
【請求項１９】
請求項１６に記載の芯軸は、請求項８に記載の回転シールに密着させて組み立てられる固定シールと、前記固定シールのシールシートを備えたことを特徴とするスノーアイス製氷機。
【請求項２０】
請求項１６に記載の芯軸は、請求項１０に記載の回転シールに密着させて組み立てられる固定シールと、前記固定シールのシールシートを備えたことを特徴とするスノーアイス製氷機。
【請求項２１】
請求項１８に記載の芯軸は、芯軸外周の表面が請求項１４に記載のテフロンリングのテフロンリップを屈折して密着させるために加工された表面からなったことを特徴とするスノーアイス製氷機。
【請求項２２】
請求項１８に記載の芯軸は、請求項１５に記載のＯリングを芯軸の周りに設置するために、芯軸の周りに設置されたドラム、ドラムの周りに設置される一つ以上の環溝、環溝に挿入されるＯリングをさらに含むことを特徴とするスノーアイス製氷機。
【請求項２３】
請求項１６に記載の芯軸は、被着部をブラケットでフレームに固定したことを特徴とするスノーアイス製氷機。
【請求項２４】
前記芯軸の空間に冷媒管路が挿入され、冷媒管路は、連結部に溶接して組み立てられたことを特徴とする請求項３に記載のスノーアイス製氷機。 
【請求項２５】
前記ドラム蓋、前記芯軸及びドラム蓋と芯軸との間の回転シールと固定シールが組み立てられた単位部品の設定された冷媒ガス圧の維持能力を試験するための圧縮空気試験装置がさらに含まれ、前記圧縮空気試験装置は、ドラム蓋を組み立てることができる圧縮空気チューブと、ドラム蓋に含まれた芯軸の空間に連結されて圧縮空気チューブに設定された圧力で空気圧力を発生させるための空気圧縮機と、前記圧縮空気チューブの中の空気圧力の変化を測定して表示する空気圧力計で構成されることを特徴とする請求項３に記載のスノーアイス製氷機。 
【請求項２６】
請求項１に記載の製氷機は、製氷制御部と製氷制御部で制御信号を駆動ドライバに提供して製氷ドラム駆動モータと揚水ポンプと冷媒圧縮機を駆動するようになったことにおいて、前記製氷機に紫外線光殺菌装置が備えられ、前記紫外線光殺菌装置は、棒状ガラス管の周りに第１の紫外線ランプが設置されて第１の紫外線ランプ周りに製氷水ポンプの透明ホースを螺旋に巻き、第１の紫外線ランプは、製氷機製氷制御部の製氷機駆動信号及び駆動停止信号に同期して駆動されることを特徴とするスノーアイス製氷機。
【請求項２７】
第２の紫外線ランプが製氷水容器の上に設置され、製氷機駆動及び停止信号に同期して第２の紫外線ランプが駆動されることを特徴とする請求項２６に記載のスノーアイス製氷機。
【発明の詳細な説明】
【技術分野】
【０００１】
本発明はスノーアイス製氷機に関し、詳しくは、製氷ドラムから氷の粉を製造することを特徴とする製氷機に関する。
【背景技術】
【０００２】
スノーアイス製氷機は、円筒型の金属製氷ドラムを回転させながら製氷ドラムの中に冷媒を循環させて製氷ドラムを製氷温度に冷却させ、製氷ドラムの表面を製氷水で濡らして製氷ドラムの表面に持続的に製氷水を凍らせ、製氷ドラムの表面の氷層をカッターで削って氷の粉を製造する装置である。
【０００３】
韓国特許第１０−１２６８９１１号の製氷機は、前記のような製氷機の一つである。製氷機で製造された氷の粉は、食用、食品材料の冷却用、テーブルセッティング用または工業用や医療用に様々に使用されている。 
【０００４】
前記製氷機は、清潔な水を凍らせて粉砕することの他にも、牛乳、果汁、コーヒー、砂糖など、様々な食用飲料を氷として食べたり飲んだりすることができる。したがって、氷の粉の製氷機において製氷水とは、飲料水はもちろん、液体飲料と食べ物の材料の全てを含むものと解釈されるべきである。
【０００５】
前記製氷ドラムは、両端の軸を製氷機のフレームに支え、一方の軸を駆動機に連結して製氷ドラムを回転させながら、他方の軸は冷凍機の圧縮冷媒を製氷ドラムの中に循環させるための冷媒通路として利用されている。
【０００６】
前記の１：製氷ドラムの冷媒通路は、回転部品である製氷ドラムに固定部品である冷媒管路を組み立てた通路である。２：前記冷媒通路には、冷媒の漏れを遮断する手段として、回転シール（ｓｅａｌ）と固定シールが設置されており、３：前記配管軸は、製氷ドラムと分離されてそれぞれ形成された後、製氷ドラムの一方に組み立てられている。 
【０００７】
このように、４：製氷ドラムは、配管軸を組み立ててから製氷ドラムを製氷機フレームに組み立てるものであるので、５：製氷ドラムの内部構成が故障すると、まず製氷ドラムを製氷機から分離した後、６：製氷ドラムから配管軸を分離する順に修理作業を行うことになる。７：このような修理過程や補修過程は、結局、製氷機の複雑な装置を殆ど解体する作業であるため、冷媒通路の修理作業は忌避作業かつ高コストの作業とされていた。 
【０００８】
一方、製氷機のアフターサービスの発生傾向を集めてみると、８：製氷機の冷媒漏れが原因となって減少または消失された製氷能力を回復させる作業、すなわち、製氷ドラム内部構成の修理要求に集中していることが見られる。９：したがって、前記のようなサービスの発生パターンを改善しなくてはスノーアイス製氷機が販売市場における信頼を築くことができず、ひいてはスノーアイス製氷機事業の採算性を悪化させるしかない。
【発明の概要】
【発明が解決しようとする課題】
【０００９】
本発明は、製氷機のキャビネットの外で製氷ドラムを開閉することができるように配管軸を改良して設置したスノーアイス製氷機を提供しようとするものである。
【００１０】
本発明は、配管軸にドラム通路を設置したスノーアイス製氷機を提供しようとするものである。
【００１１】
本発明は、ドラム蓋で製氷ドラムを開閉することができるスノーアイス製氷機を提供しようとするものである。
【００１２】
本発明は、ドラム蓋で冷凍機と製氷ドラムの内部空間を連結して、ドラムの外周で水を凍らせることができるようにするスノーアイス製氷機を提供しようとするものである。
【００１３】
本発明は、ドラム蓋に芯軸が組み立てられるスノーアイス製氷機を提供しようとするものである。
【００１４】
本発明は、前記ドラム蓋と芯軸の間に冷媒漏れ防止手段が組み立てられるスノーアイス製氷機を提供しようとするものである。 
【００１５】
本発明は、冷媒管路（冷媒供給管及び回収管の束）が芯軸の中心空間に組み立てられるスノーアイス製氷機を提供しようとするものである。
【００１６】
本発明は、紫外線光で製氷水を殺菌するスノーアイス製氷機を提供しようとするものである。
【００１７】
本発明は、製氷機の利用時間を記録することができるように積算計器を備えたスノーアイス製氷機を提供しようとするものである。
【課題を解決するための手段】
【００１８】
本発明は、製氷ドラムに水をつけて凍らせ、カッターで氷層を削り取る製氷機において、製氷ドラムの一方をフレームに支持する製氷ドラムの一方の軸を配管軸として形成し、製氷機のフレームに製氷ドラムが組み立てられたまま製氷ドラムを開放できるようにした。このような配管軸は、芯軸とは分離されて芯軸が直接に支持されないように中心にドラム通路を提供する配管軸である。
【００１９】
前記配管軸の中心には、両端に開けられるドラム通路が設置される。このドラム通路は芯軸がドラム通路の中心に設置されるが、芯軸が直接に組み立てられず、製氷ドラムを外部へ開放させるためドラム蓋を開けたときに芯軸が配管軸から分離され、芯軸を製氷ドラムから分離して取り出すことができる。
【００２０】
配管軸にドラム通路を開閉するようにドラム蓋が組み立てられる。ドラム蓋に前記芯軸が組み立てられる。ドラム蓋は、組み立てられた芯軸を前記ドラム通路に直接に支持されないように配管軸に支持させる。このように構成されるドラム蓋は、製氷ドラムがフレームに組み立てられた状態で、芯軸を配管軸の外へ取り出すことができる。前記ドラム蓋は、製氷ドラム内の冷媒がドラム通路から漏れることを防止する。前記ドラム蓋は、製氷ドラム側に固定されて配管軸と共に回転するように製作されるか、又はこれと異なってフレーム側に組み立てられる固定部品として製造されることができる。後者のドラム蓋は、配管軸とドラム蓋の間にシール組立体が備えられ、同時にフレームに支持させなければならない。前記ドラム蓋は、冷凍機と製氷ドラムの内部空間を連結してドラムの外周で水を凍らせることができるようにする。 
【００２１】
ドラム蓋に芯軸が組み立てられる。芯軸は、冷媒管路であるか、又は冷媒管路を組み立てることができるようにするチューブタイプで製作されることができる。ドラム蓋が固定部品であれば、ドラム蓋と芯軸の間に冷媒漏れを遮断する手段が備えられる。
【００２２】
配管軸と駆動軸の表面には、異物の付着を防止するためにフッ素樹脂コーティング層を設ける。
【００２３】
また、本発明のスノーアイス製氷機は、紫外線光殺菌装置と製氷ドラム、製氷水ポンプ、冷媒圧縮機の駆動量を記録する積算計器をさらに備えている。
【００２４】
ドラム蓋が回転部品である例を中心に配管軸、ドラム蓋、芯軸、そして冷媒漏れ防止手段などを色々変形された例として、より詳しく説明すると、次の通りである。 
【００２５】
Ｉ．図４乃至５において、ドラム蓋の中心に芯軸が固定部品として組み立てられる。前記ドラム通路と芯軸に冷媒ガスが漏れないように回転部品と固定部品の間に回転シールと固定シールが分けて設置される。前記芯軸の中心には、空間通路が設置されて冷媒管路を空間に挿入して製氷ドラムの中に引き込むことができるように構成された。
【００２６】
配管軸は、中心のドラム通路と、ドラム通路の端の密閉シートと、製氷ドラムをフレームに組み立てるための支え部分と、補修作業を行う際に製氷ドラムを工具で掴むためのレンチ溝と、ドラム蓋の組み立て用ねじが備えられている。 
【００２７】
前記ドラム蓋は、配管軸のねじに組み立てられるキャップねじと、ドラム通路密閉シートに密着されてドラム通路を密封するためのキャップシートと、芯軸を組み立てるためのキャップ通路と、キャップ通路の端にねじで組み立てられ、真ん中に芯軸を挿入して組み立てるための環状通路蓋を備える。
【００２８】
前記配管軸とドラム蓋は、前記のようなねじ組み立ての他に、フランジタイプの組み立て構造で製作されることができる。
【００２９】
真ん中に空間を備えた芯軸は、キャップ通路に挿入される部品として、キャップ通路内面の環顎にかかる環顎と、固定シールを組み立てて支えるためのシールシートと、冷媒管路を製氷ドラムの中で支えながら冷媒が漏れないように付着するための連結部を備える。
【００３０】
前記固定シールは、芯軸のシールシートに組み立てられて芯軸と固定シールの間で冷媒が漏れないように密着され、前記回転シールは、弾性体リングの端に気密性を有するように付着され、弾性体リングは、頭側に環状のパッキング部分が備えられ、弾性体リングのパッキング部分は、キャップ通路の端の密着面に置かれ、環状通路蓋で押して固定する。回転シールは、弾性体リングの弾性で固定シールのスリップ面に押され、キャップ通路の端の密着面と弾性体リングのパッキング部分は気密状態を維持しながら、ドラム蓋と共に回転されるものである。
【００３１】
前記ドラム蓋は、ドラム蓋と芯軸が分離されないようにキャップ通路内面の環顎と、芯軸ベアリングがさらに備えられた。
【００３２】
前記芯軸は、外側の環溝にＥリングを組み立てて、芯軸がドラム蓋から離脱しないように組み立てられるように構成された。 
【００３３】
したがって、芯軸に組み立てられる冷媒管路を通じて回転製氷ドラムに冷媒が循環することができ、製氷ドラムはフレームに組み立てられたままドラム蓋を開閉することができるものである。芯軸は、冷媒管路の一部となるように製作されることもできる。
【００３４】
ＩＩ．他の一つのドラム蓋セットが図６乃至９に図示された。
【００３５】
ドラム蓋は、配管軸のねじに組み立てられるキャップねじと、ドラム通路密閉シートに密着されてドラム通路を密封するためのキャップシートと、芯軸を通路に挿入して支えるキャップボディと、通路の外へ開けられるスプリング挿入用スプリングホールと、通路の内側に位置された回転シールのシールシートで構成された。 
【００３６】
前記ドラム蓋の通路に挿入される芯軸は、固定シールを設置するためのシールシートと、冷媒管路を製氷ドラムの中で支えながら冷媒が漏れないように付着するための連結部と、スプリングを加圧しながらスプリングホールを覆うことができるように芯軸に組み立てられるホール蓋と、ホール蓋に組み立てられたＥリング（Ｅ−Ｒｉｎｇ）で構成された。
【００３７】
前記回転シールは、キャップボディの端のシールシートに気密状態で組み立てられ、固定シールは、芯軸のシールシートに気密状態で組み立てられ、スプリングホールに加圧スプリングが内蔵され、スプリングの圧力で芯軸の軸方向に移動させて回転シールのスリップ面に固定シールのスリップ面を弾性で密着させる。
【００３８】
前記芯軸とホール蓋は、ねじ結合で組み立てられており、ねじ操作でスプリングの圧力が調節され、環状Ｅリングを芯軸の環溝に挿入させてホール蓋の緩みが防止される。
【００３９】
したがって、芯軸に組み立てられる冷媒管路を通じて回転製氷ドラムに冷媒が循環することができ、製氷ドラムはフレームに組み立てられたままドラム蓋を開閉することができるものである。
【００４０】
ＩＩＩ．他の一つのドラム蓋セットが、図１０、図１２に図示された。
【００４１】
ドラム蓋は、配管軸のねじに組み立てられるキャップねじと、ドラム通路の密閉シートに密着されてドラム通路を密封するためのキャップシートと、芯軸をシリンダに収容して支えるキャップボディと、キャップボディ外側に設置されるベアリングと、製氷ドラムの方へ開けられているシリンダとシリンダの鏡面で構成された。 
【００４２】
前記芯軸は、‘テフロンリップシール’が芯軸の外周に設置されて、テフロンリップシールのＯリングがシリンダ鏡面に密着されている。テフロンリップシールは、既存の製品を購入して使用するものであって、芯軸は、テフロンリップシールと組み立てられるときにリップが一方に擦れて曲げられながら弾性で芯軸の外周に密着され、芯軸の外周には、このような密着を満足させる直径と滑らかな表面粗さを備えることになる。リップの擦れ方向は、垂れたリップの端が製氷ドラムの内側を向くように組み立てられる。テフロンリップシールのＯリングは、前記シリンダの鏡面にゴム弾性で密着され、前記シリンダの鏡面にＯリング用の潤滑剤が塗布される。前記鏡面は、Ｏリングと摩擦されながら、気密を維持し、Ｏリングの摩耗を少なくするためにシリンダの内面を細かく加工したＯリングの接触面である。以下、同様である。
【００４３】
芯軸の外側には、ベアリングでドラムキャップに組み立てられており、芯軸の外周のねじにナットを締めて芯軸とドラム蓋が分離することを防止し、芯軸をフレームに固定する。 
【００４４】
したがって、芯軸に組み立てられる冷媒管路を通じて回転製氷ドラムに冷媒が循環することができ、製氷ドラムはフレームに組み立てられたままドラム蓋を開閉することができるものである。
【００４５】
ＩＶ．図１１、図１２で、他の一つのドラム蓋のセットが図示された。 
【００４６】
ドラム蓋は、配管軸のねじに組み立てられるキャップねじと、ドラム通路密閉シートに密着されてドラム通路を密封するためのキャップシートと、芯軸をシリンダに収容して支えるキャップボディと、キャップボディの外側に設置されるベアリングと、外側の蓋で開閉されるシリンダと、シリンダの鏡面で構成された。
【００４７】
前記ドラム蓋のシリンダに挿入される芯軸は、テフロンリップシールが芯軸の外周に設置されてテフロンリップシールのＯリングがシリンダの鏡面にＯリングのゴム弾性で密着されている。テフロンリップシール（別称として‘ハイテフロンリップシール’）は、既存の市販製品を購入して使用する。芯軸は、テフロンリップシールと組み立てられるときにリップが一方に擦れて曲げられながら弾性で芯軸の外周に密着される。前記芯軸は、外周にテフロンリップの組み立てを満足させる直径と表面粗さを有しなければならない。リップの擦れ方向は、垂れたリップの端が製氷ドラムを向くように組み立てる。テフロンリップシールのＯリングがシリンダの鏡面にゴム弾性で密着され、シリンダの鏡面にはＯリング用の潤滑剤が塗布される。
【００４８】
芯軸の外側は、ベアリングでドラムキャップに組み立てられている。芯軸の外周のねじにナットが締められる。芯軸の被着部をブラケットで製氷機のフレームに固定する。
【００４９】
したがって、芯軸に組み立てられる冷媒管路を通じて回転製氷ドラムに冷媒が循環することができ、製氷ドラムはフレームに組み立てられたままドラム蓋を開閉することができるものである。 
【００５０】
Ｖ．図１３、図１４で、他の一つのドラム蓋セットが図示された。
【００５１】
ドラム蓋は、配管軸のねじに組み立てられるキャップねじと、ドラム通路の密閉シートに密着されてドラム通路を密封するためのキャップシートと、芯軸をシリンダに収容して支えるキャップボディと、キャップボディの外側に設置されるベアリングと、製氷ドラムの方へ開けられたシリンダの内面の潤滑層で構成された。前記潤滑層は、シリンダを鏡面に加工したスリップ面であるか、テフロンコーティングをして潤滑層を設けたものであるか、またはテフロンカップを嵌めて固定したもののうちいずれか一つである。
【００５２】
前記ドラム蓋のシリンダ潤滑層の中にドラムシールが挿入されてＯリングが回転体である潤滑層の上で加圧状態で滑りながら冷媒ガスの漏れを遮断する。前記ドラムシールは、芯軸の外周にドラムを形成し、ドラムに環溝を掘った後、環溝にＯリングを嵌めたものである。前記潤滑層には、Ｏリング用の潤滑剤が塗布される。 
【００５３】
したがって、芯軸に組み立てられる冷媒管路を通じて回転製氷ドラムに冷媒が循環することができ、製氷ドラムはフレームに組み立てられたままドラム蓋を開閉することができるものである。
【００５４】
また、本発明のＩ乃至Ｖにおいて、芯軸の空間に冷媒管路が挿入される。連結部と冷媒管路を隙間に冷媒が漏れないように溶接した。配管軸には、工具を噛ませるためのレンチ溝が設置された。
【００５５】
前記通路蓋に工具を噛ませるためのレンチ溝が備えられた。
【００５６】
前記冷媒管路の一部は、パイプをスプリング状に巻くことで冷媒管路の作業の柔軟性を高める。
【００５７】
本発明のスノーアイス製氷機において、製氷制御部は、マイコンに制御がプログラムされた製氷制御部、制御がプログラムされた電気回路であるか、またはコンピューティング製氷制御部であって、全て製氷制御部である。
【００５８】
ＶＩ．紫外線光殺菌装置
【００５９】
本発明のスノーアイス製氷機は、製氷水を紫外線殺菌するための装置として紫外線ランプが設置され、紫外線ランプは、スノーアイス製氷機の製氷制御部の制御で駆動される。
【００６０】
図２１は、紫外線ランプ殺菌処理装置が含まれたスノーアイス製氷機の製氷制御部の部分ブロック図である。
【００６１】
紫外線ランプ殺菌処理装置において、第１の紫外線ランプと第２の紫外線ランプは、製氷制御部のマイコンに連結されており、製氷制御部に製氷機の駆動信号と同期して、紫外線ランプの駆動信号を発生する紫外線殺菌処理プログラムを含ませる。これにより、前記紫外線ランプは、製氷制御部の制御信号に反応して駆動電流をオン・オフする駆動ドライバから駆動電流が供給されて駆動される。
【００６２】
前記第１の紫外線ランプは、ランプの棒状ガラス管の周りに製氷水ポンプの透明吐出ホースを螺旋に巻いておいた。この構成で製氷水が揚水され、ポンプから製氷水容器に供給される過程で、紫外線光が螺旋に巻かれた透明ホース壁を透過してホース内を流れる製氷水に照射される。
【００６３】
第２の紫外線ランプは、製氷水容器の上に設置されており、紫外線光が製氷水容器に盛られた製氷水の上に照射される。 
【００６４】
ＶＩＩ．製氷機積算計器
【００６５】
本発明のスノーアイス製氷機に製氷ドラム、製氷水ポンプ、及び冷媒圧縮機の駆動量を記録する積算計器が設置された。
【００６６】
積算対象は、駆動時間積算、駆動電力積算、または揚水量の積算である。
【００６７】
製氷ドラムの積算計器は、製氷ドラムの駆動時間を積算したり、駆動電力を積算したりする。揚水ポンプの積算計器は、量水ポンプの駆動時間を積算したり、駆動電力を積算したり、揚水量を積算する。冷媒圧縮機の積算計器は、圧縮機の駆動時間を積算したり、駆動電力を積算したりする。 
【００６８】
前記製氷ドラムの積算値、揚水ポンプの積算値、冷媒圧縮機の積算値は、スノーアイス製氷機の品質保証期間の算出、部品交換時期の算定、部品検査基準の算出に利用される。
【００６９】
製氷ドラムの駆動時間積算装置は、製氷ドラムの駆動モータを、駆動ドライバを経てスノーアイス製氷機の製氷制御部に連結し、製氷ドラムの積算表示部をマイコン製氷制御部に連結した構成である。前記製氷ドラムの駆動時間積算装置は、スノーアイス製氷機の制御プログラムで製氷ドラムの駆動時間積算のための不揮発性製氷ドラムメモリと、製氷ドラムの駆動時間を計数するための製氷ドラムタイマーと、ドラム駆動時間積算プログラムがさらに設置された。前記製氷ドラムメモリは、製氷機を初回駆動させるときに一回クリアされる。 
【００７０】
前記製氷ドラム駆動時間積算プログラムは、マイコン製氷制御部が製氷ドラム駆動モータの駆動信号を製氷ドラム駆動ドライバに伝送するときに、前記製氷ドラムタイマーを駆動させ、一定の積算時間ごとに前記製氷ドラムタイマーに計数されたドラム駆動時間を読み、前記製氷ドラムメモリ値に加えて積算値を更新し、更新した積算値を前記製氷ドラムメモリに保存した後、製氷ドラムタイマーを初期化して再駆動し、前記製氷ドラムメモリ値を製氷ドラムの積算表示部に表示する。
【００７１】
マイコン製氷制御部が製氷ドラム駆動ドライバに製氷ドラム駆動中止信号を送信するときに、前記製氷ドラムタイマーの時間を読み込み、前記製氷ドラムメモリ値に加えて積算値を更新した後に保存し、前記製氷ドラムタイマーをクリアする。 
【００７２】
揚水時間の積算装置は、製氷水揚水ポンプ駆動モータが駆動ドライバを経てスノーアイス製氷機のマイコン製氷制御部に連結され、揚水積算表示部がマイコン製氷制御部に連結された構成である。
【００７３】
前記揚水時間の積算装置は、スノーアイス製氷機の制御プログラムにポンプ駆動時間積算のための不揮発性ポンプメモリと、揚水時間を計数するためのポンプタイマーと、揚水時間積算プログラムが追加される。前記ポンプメモリは、製氷機の初回駆動時に一回クリアされる。
【００７４】
前記揚水時間積算プログラムは、マイコン製氷制御部がポンプ駆動モータの駆動信号をポンプ駆動ドライバに伝送するとき、前記ポンプタイマーを駆動させ、一定の積算時間ごとに前記ポンプタイマーに計数されたポンプ駆動時間を読み、前記ポンプメモリ値に加えて積算値を更新し、更新した積算値を前記ポンプメモリに保存し、前記ポンプタイマーを初期化して再駆動し、前記ポンプメモリ値をポンプ積算表示部に表示する。
【００７５】
マイコン製氷制御部がポンプ駆動ドライバにポンプ駆動中止信号を送信するときに、前記ポンプタイマーの時間を前記ポンプメモリ値に加えて更新した積算値を保存し、前記ポンプタイマーを初期化させる。
【００７６】
圧縮機駆動時間積算装置は、冷媒圧縮機が駆動ドライバを経てスノーアイス製氷機の製氷制御部マイコンに連結され、製氷ドラム積算表示部がマイコン製氷制御部に連結された構成である。 
【００７７】
前記圧縮機駆動時間積算装置は、スノーアイス製氷機の制御プログラムに圧縮機駆動時間積算のための不揮発性圧縮機メモリと、圧縮機駆動時間を計数するための圧縮機タイマーと、圧縮機駆動時間積算プログラムが追加されて構成される。前記不揮発性圧縮機メモリは、製氷機を初めて駆動させるときに、一回初期化される。
【００７８】
前記圧縮駆動時間積算プログラムは、製氷制御部が圧縮機駆動モータの駆動信号を圧縮機駆動ドライバに伝送するときに前記圧縮機タイマーを駆動させ、一定の積算時間ごとに前記圧縮タイマーに計数された圧縮機駆動時間を読み、前記圧縮機メモリ値に加えて積算値を更新し、更新した積算値を前記圧縮機メモリに保存した後、前記圧縮機タイマーを初期化して再駆動し、前記圧縮機メモリ値を圧縮機積算表示部に表示する。
【００７９】
製氷制御部が圧縮機駆動ドライバに圧縮機駆動中止信号を送信するときに、前記圧縮機タイマーの時間を前記圧縮機メモリ値に加えて積算値を更新して保存し、前記圧縮機タイマーを初期化する。 
【００８０】
製氷ドラム駆動電力積算装置の構成は、製氷ドラム駆動モータが製氷ドラム駆動ドライバを経てスノーアイス製氷機の製氷制御部マイコンに連結され、製氷ドラム駆動電力積算のための製氷ドラム駆動電力積算計器が表示部に設置され、前記製氷ドラム駆動電力積算計器は、製氷ドラム駆動モータの駆動ドライバの駆動電流出力端に電力積算を行うことができるように連結されたものである。
【００８１】
電力積算計器は、市販の電力積算計器を使用することができる。
【００８２】
前記製氷ドラム駆動電力積算計器は、製氷制御部が製氷ドラム駆動ドライバに駆動信号を送信して、製氷ドラム駆動モータに駆動電流が出力されると、この出力電流から消費電力量を検出して積算する。製氷制御部が製氷ドラム駆動ドライバにモータ停止信号を送信すると、製氷ドラム駆動モータの出力電流が消滅して電力積算も中止される。
【００８３】
揚水ポンプ駆動電力積算装置は、揚水ポンプ駆動モータがポンプ駆動ドライバを経てスノーアイス製氷機の製氷制御部に連結され、ポンプ駆動電力積算計器が表示部に設置され、この電力積算計器がポンプ駆動モータドライバの駆動電流出力端に連結された構成である。電力積算計器は、市販の製品を使用することができる。
【００８４】
前記ポンプ駆動電力積算計器は、製氷制御部がポンプ駆動ドライバに駆動信号を送信してポンプ駆動モータに駆動電流が出力されると、この出力電流から電力量を検出して積算する。製氷制御部がポンプ駆動ドライバにモータ停止信号を送信すると、ポンプ駆動モータの出力電流が消滅して電力積算も中止される。
【００８５】
圧縮機駆動電力積算装置は、冷媒圧縮機が圧縮機駆動ドライバを経てスノーアイス製氷機の製氷制御部に連結され、圧縮機駆動電力積算計器が表示部に設置され、圧縮機駆動電力積算計器は、圧縮機駆動ドライバの駆動電流出力端に電力積算ができるように連結された構成である。前記電力積算計器は、市販の製品を使用することができる。
【００８６】
前記圧縮機駆動電力積算計器は、製氷制御部が圧縮機駆動ドライバに駆動信号を送信して圧縮機に駆動電流が出力されると、この出力電流から消費電力量を検出して積算する。製氷制御部が圧縮機駆動ドライバに停止信号を送信すると、圧縮機を駆動する出力電流が消滅して電力積算も中止される。
【００８７】
揚水量積算装置は、揚水ポンプ駆動モータがポンプ駆動ドライバを経てスノーアイス製氷機の製氷制御部に連結され、揚水ポンプの吸水管に水量積算メータを設置した構成である。
【００８８】
製氷制御部からポンプ駆動ドライバに駆動信号を送信してポンプ駆動モータが駆動され、ポンプから揚水動作が行われると、水量積算メータに水量が積算され、ポンプが駆動を中止すると、水量積算メータの駆動も停止して水量積算動作が中止される。前記水量積算メータは、市販の製品を使用する。
【発明の効果】
【００８９】
本発明によると、配管軸で製氷ドラムが外部へ開放され、配管軸にドラム通路が設置され、ドラム蓋で冷凍機と製氷ドラムの内部空間を連結してドラムの外周で水を凍らせることができ、ドラム蓋に芯軸が組み立てられ、ドラム蓋と芯軸の間に冷媒漏れ防止手段が備えられ、芯軸に冷媒管路が備えられるスノーアイス製氷機を提供する。本発明のスノーアイス製氷機は、製氷ドラムの内部構成を修理する際に、ドラム蓋を開け、組み立てた部品を交換または修理することができ、紫外線光で製氷水を殺菌し、さらに製氷機の重要装置の駆動量積算計器を備えるスノーアイス製氷機を提供することができる効果がある。
【図面の簡単な説明】
【００９０】
図１は、スノーアイス製氷機の概要図である。
【００９１】
図２は、ドラム通路開放型の製氷ドラムの例図である。
【００９２】
図３は、ドラム通路が設置された配管軸の例図である。
【００９３】
図４は、Ｉ．のドラム蓋と芯軸の分解例図である。
【００９４】
図５は、図４のドラム蓋と芯軸の組立図である。
【００９５】
図６は、ＩＩ．の他のドラム蓋の分解及び組立図である。
【００９６】
図７は、図６のドラム蓋に組み立てられる芯軸の分解及び組立図である。
【００９７】
図８は、図７の芯軸に組み立てられるホール蓋の分解及び組立図である。
【００９８】
図９は、図６乃至８の部品の組立図である。
【００９９】
図１０は、ＩＩＩ．の他のドラム蓋の構成例図である。
【０１００】
図１１は、ＩＶ．の他のドラム蓋の構成例図である。
【０１０１】
図１２は、図１０、１１のドラム蓋に組み立てられるテフロンリップシールの例図である。
【０１０２】
図１３は、Ｖ．の他のドラム蓋の断面構成例図である。
【０１０３】
図１４は、図１３のドラム蓋に組み立てられる芯軸ドラムとＯリングの組立例図である。
【０１０４】
図１５は、冷媒管路の束の例図である。
【０１０５】
図１６は、ドラム蓋が組み立てられた冷媒管路の束の例図である。 
【０１０６】
図１７は、Ｉ．のドラム蓋に管束を組み立てた例図である。
【０１０７】
図１８は、図１７の管束を製氷ドラムに組み立てた例図である。
【０１０８】
図１９は、サービスドアを設置した製氷機キャビネットの側面図である。
【０１０９】
図２０は、キャビネットの外でドラム蓋を開け、冷媒管路の束を取り出す作業図である。
【０１１０】
図２１は、スノーアイス製氷機に設置された利用時間積算計器の構成ブロック例図である。
【０１１１】
図２２は、スノーアイス製氷機に設置された電力積算計器の構成ブロック例図である。
【０１１２】
図２３は、スノーアイス製氷機に設置された水量積算計器の構成ブロック例図である。
【０１１３】
図２４は、ドラム蓋組立体Ｐの実性能試験装置の概要図である。 
【発明を実施するための形態】
【０１１４】
本発明によるスノーアイス製氷機の円筒型製氷ドラム１０は、熱伝導金属板が内部の冷媒気化空間を取り囲むように製作されたドラムであり、内部空間に冷凍機の冷媒管路が配置されてドラム空間で冷媒を噴射することで、ドラムの表面が結氷温度に冷却される。 製氷ドラムは、一方に駆動軸１１が設置され、他方に配管軸が設置された。製氷ドラム１０は、駆動軸が動力駆動機に連結されて製氷ドラムが回転される。従来、製氷ドラムの冷媒連結用軸は、フレームに組み立てられた状態で製氷ドラムの内部を開けることができない閉じたシール組立体であるが、前記配管軸は、フレームに組み立てられた製氷ドラムをドラム蓋の操作で開けることができ、製氷機の冷媒管路を配管軸を通じて製氷ドラムの中に入れたり、製氷ドラムの中から外へ取り出したりすることができるようになっている。また、回転体である配管軸は、固定部品である冷媒管路を収容する。前記回転体と固定部品との間に回転シールと固定シールが組み立てられ、このシールセットにて製氷ドラムの中で気化する冷媒の漏れを遮断するものである。このような構成で、冷凍機の圧縮冷媒は、冷媒管路を通じて製氷ドラムに供給され、製氷ドラムの中で気化した冷媒ガスは、コンデンサに回収されるものである。製氷ドラムには、製氷水容器１３４が設置されており、製氷水容器は、製氷ドラムの表面に製氷する水をつける役割をする。また、製氷ドラムの表には、カッター１３が設置されており、製氷ドラムの表面に凍りつく氷層を製氷ドラムの回転力で削り、スノーアイス状態または小片の氷状態で提供している。前記製氷ドラム１０は、プログラムされた製氷制御部で制御されて製氷用水が供給され、製氷温度が制御される。
【０１１５】
本発明は、製氷ドラム１０に水をつけて氷を凍らせた氷をカッター１３で削り取る製氷機において、製氷ドラムの一方にフレームの外でドラム蓋によって製氷ドラムを開閉することができるように配管軸２０を設置することで、製氷ドラムが製氷機のフレームに組み立てられた状態で製氷ドラムを外部へ開放し、製氷ドラムの故障を修理できるようになった。 
【０１１６】
配管軸２０の中心には、配管軸の端で開けられるドラム通路２１が設置される。このようなドラム通路２１は、配管軸２０と共に回転されるドラム蓋で開閉できるようになっており、ドラム蓋が冷媒の漏れないようにドラム通路２１を密封状態で閉める。
【０１１７】
実施例として、配管軸２０は、中心のドラム通路２１と、ドラム通路２１の端の密閉シート２２と、製氷ドラム１０をフレームに支えさせるための支え部分２３と、補修作業を行う時に製氷ドラムを工具で掴むためのレンチ溝２４と、ドラム蓋の組み立て手段としてねじ２５が備えられている。
【０１１８】
このようなドラム通路開放型製氷ドラム１０は、製氷機の組み立て過程で、ドラム通路２１が開けられた状態で配管軸２０の支え部分２３と反対側の駆動軸１１がフレームＦに組み立てられ、ドラム蓋３０は、製氷ドラム内部構成の組み立て順によって組み立てるものであるが、製氷ドラム１０の前記駆動系の構成は、殆ど故障のない安定化した機械的な構成であるため、一度組み立てられた後には、製氷機の寿命が尽きるまでフレームＦから分離することはない。
【０１１９】
また、前記製氷ドラムの配管軸２０と駆動軸１１は、異物接着を防止するためにフッ素樹脂コーティングを施すことができる。この場合、製氷用牛乳や果汁が配管軸や駆動軸に付いても、これらが配管軸や駆動軸に接着されずに流れ落ちて清潔を維持することができ、たまに配管軸や駆動軸に付く物質は、水を吹き付けて容易にふき取ることができる。 
【０１２０】
Ｉ．図４、図５の実施例において、ドラム蓋３０は、配管軸２０のねじ２５に組み立てられるキャップねじ３１と、ドラム通路密閉シート２２に密着されてドラム通路を密封するためのキャップシート３２と、芯軸５０を組み立てるためのキャップ通路３４と、キャップ通路の端にねじで組み立てられ、中央に芯軸５０を収容する環状通路蓋４０を備える。また、通路蓋４０に工具を噛ませるためのレンチ溝４１が備えられた。
【０１２１】
このように回転部品であるドラム蓋３０の中心には、芯軸５０が固定部品として設置されるものであり、（固定部品とは、フレームに固定状態で組み立てられる部品である。）前記ドラム蓋３０と芯軸５０には、シール組立体として冷媒の漏れを遮断するための回転シール４６及び固定シール５６が回転部品と固定部品とに分けて設置される。前記芯軸５０の中心には、空間５１が設置されて冷媒管路１５を、空間５１に挿入して製氷ドラム１０の中に入り込めるように構成されるものである。
【０１２２】
前記ドラム蓋３０を配管軸２０に組み立てると、ねじ２５、３１の螺合で、キャップシート３２が密閉シート２２に密着されてドラム通路２１で冷媒はもちろん、空気も遮断されるように安定して密封されるものである。前記密閉シート２２及びキャップシート３２は、接触面を鏡面に加工するか、これらの間に気密パッキング２７を嵌めるか、または図面のように円錐型密閉シート２２に円錐型キャップシート３２を密着させることができるように製作される。前記ドラム蓋３０を配管軸２０に組み立てるか、これと反対に解体する場合には、製氷ドラム１０をしっかり掴んでドラム蓋３０を工具で回すが、このために配管軸２０には、工具を利用して配管軸を固定させるためのレンチ溝２４がさらに形成されている。
【０１２３】
空間５１を備えた芯軸５０は、キャップ通路３４に挿入される部品であって、キャップ通路内面の環顎３６にかかる環顎５４と、固定シール５６を組み立てて支えるためのシールシート５５と、冷媒管路１５を製氷ドラム１０の中で支え、冷媒が漏れないように付着するための連結部５７で構成された。
【０１２４】
このように芯軸５０は、前記回転部品であるドラム蓋３０に支えられる固定部品であり、中心には冷媒管路が組み立てられる部品である。 
【０１２５】
前記固定シール５６は、芯軸５０のシールシート５５に組み立てられて芯軸５０と固定シール５６の間では気密が維持される。回転シール４６は、弾性体リング４４の端に気密性を有するように付着されている。弾性体リング４４は、頭側に環状パッキング部分４５が備えられている。弾性体リング４４の気密パッキング部分４５は、キャップ通路３４の端の密着面３５に置かれ、環状通路蓋４０に押されるように組み立てられるものである。回転シール４６のスリップ面は、固定シール５６に弾性で押されるように組み立てられている。同時に、キャップ通路の密着面３５とパッキング部分４５の接触面も気密状態が維持されるようになっている。このような構成で回転シール４６は、固定シール５６と当接した状態で機密を維持させる。同時に、前記のように気密維持状態でドラム蓋３０と共に回転されるものである。 
【０１２６】
前記弾性体リング４４は、高弾性体の耐薬品性合成ゴム、シリコンゴムなどで製造される。弾性体リング４４と回転シール４６の連結には、接着剤が使用されることができる。また他の方法として、弾性体リング４４の成形金型に回転シール４６を挿入し、成形して回転シール４６が接着された状態で弾性体リング４４をモールディングすることができる。 
【０１２７】
このように前記回転部品であるドラム蓋３０と固定部品である芯軸５０は、回転シール４６と固定シール５６により、二つの部品の間で冷媒の漏れを遮断する。特に、前記回転シール４６は、弾性体リング４４に接着されているため、二つのシール４６、５６の接触面は、接触圧力が均一に分布されることができ、これにより最適の気密性を維持できるようになる。そして、弾性体リング４４とキャップ通路３４もまた密着面３５と気密パッキング部分４５が隙間なく組み立てられて冷媒の漏れを確実に遮断できるようになる。このようにドラム蓋３０と弾性体リング４４の組立体は、冷凍機の冷媒の漏れを確実に遮断することができ、製氷ドラム内部構成の故障や修理要請が殆ど発生しないようになる。
【０１２８】
前記ドラム蓋３０は、ドラム蓋３０と芯軸５０を組み立てるためのキャップ通路３４内面の環顎３６と、芯軸ベアリング３８がさらに備えられた。芯軸ベアリング３８は、ボールベアリングであるか、ブッシュまたはオイル吸収ベアリングで使用することができ、または組み立てられるベアリングが省略され、ベアリングの要素に代替されることができる。
【０１２９】
前記芯軸５０は、環溝５８にＥリング５９を組み立てて、芯軸５０がドラム蓋３０から離脱しないように組み立てられている。前記ドラム蓋、芯軸及びドラム蓋と芯軸の間の回転シールと固定シールが組み立てられた単位部品Ｐは、冷媒管路１５を組み立てる前に単位部品、またはサービス部品として活用される。具体的に、単位部品Ｐは、シールの冷媒遮断性能を試験するために空気圧力試験装置にかけて圧縮空気を維持できるか試験を行うことができ、製氷ドラム内部構成の故障の修理のための単位部品として供給されることができる。
【０１３０】
ＩＩ．図６乃至９で他の一つのドラム蓋６０と芯軸７０とシールセットを提供する。
【０１３１】
図６乃至９で開示される他の一つのドラム蓋６０は、配管軸２０のねじ２５に組み立てられるキャップねじ６１と、ドラム通路２１の密閉シート２２に密着されてドラム通路２１を密封するためのキャップシート６２と、芯軸７０を通路６４に収容して支えるキャップボディ６３と、通路６４の外側に設置されるスプリング６８の挿入用スプリングホール６７と、スプリングホール６７の入り口で芯軸を支えるベアリング６９と、通路６４の内側に位置された回転シール６６のシールシート６５で構成される。
【０１３２】
前記ドラム蓋６０の通路に挿入される芯軸７０は、固定シール７６を組み立てるためのシールシート７５と、冷媒管路１５を製氷ドラム１０の中で支え、冷媒が漏れないように付着するための連結部７７と、スプリング６８を押しながら、同時にベアリング６９に組み立てられてドラム蓋６０に支えられながら、スプリングホール６７の入り口を覆うように芯軸に組み立てられるホール蓋８０と、ホール蓋の溝８３に組み立てられるＥリング８４で構成された。
【０１３３】
前記回転シール６６は、キャップボディ６３の端のシールシート６５に気密状態で設置され、固定シール７６は、芯軸７０のシールシート７５に気密状態で設置され、スプリングホール６７に加圧スプリング６８が内蔵され、スプリングの圧力で芯軸を軸方向に移動させて回転シール６６のスリップ面に固定シール７６のスリップ面をスプリング６８の弾性で密着させる。
【０１３４】
このように、回転部品であるドラム蓋６０の中心には、芯軸７０が固定部品として組み立てられるものであり、ドラム蓋６０と芯軸７０には、回転部品と固定部品との間で冷媒の漏れを遮断する組立体として、回転シール７６及び固定シール６６が回転部品と固定部品に分けて設置される。前記芯軸７０の中心には、空間７１が設置されて冷媒管路１５を空間７１に挿入して製氷ドラム１０の中に入れ込むことができるように構成されるものである。 
【０１３５】
前記ドラム蓋６０を配管軸２０に組み立てると、ねじ２５、６１の組み立てによりキャップシート６２が密閉シート２２に密着されて、ドラム通路２１は冷媒ガスが漏れないように密封されるものである。前記密閉シート２２とキャップシート６２は、接触面を鏡面に加工した平面に形成するか、この間に気密パッキングを嵌めるか、又は図面のように円錐形密閉シート２２に円錐形キャップシート６２が密着するように製作される。
【０１３６】
前記芯軸７０とホール蓋８０は、ねじ８１、８２で組み立てられ、ねじ操作でスプリング６８を加圧する力が調節され、Ｅリング８７を芯軸の環溝８６に挿入させてホール蓋８０の緩みが発生しないように構成された。
【０１３７】
前記ドラム蓋、芯軸及びドラム蓋と芯軸の間の回転シールと固定シールが組み立てられた単位部品Ｐは、冷媒管路１５を組み立てる前に単位部品、またはサービス部品として活用される。具体的に、単位部品Ｐは、シールの冷媒遮断機能を試験するために圧縮空気試験装置にかけて一定の空気圧力を維持できるか試験を行うことができ、製氷ドラム内部構成の故障の修理のための単位部品として供給されることができる。 
【０１３８】
ＩＩＩ．図１０、１２で、他の一つのドラム蓋９０と芯軸９７及びシールセットを提供する。
【０１３９】
ドラム蓋９０は、配管軸２０のねじ２５に組み立てられるキャップねじ９１と、ドラム通路２１の密閉シートに密着されてドラム通路２１を密封するためのキャップシート９２と、芯軸９７をシリンダに収容して支えるキャップボディ９３と、キャップボディの外側に設置されるベアリング９３ｄと、製氷ドラムの方へ開けられているシリンダ鏡面９３ａで構成された。
【０１４０】
ドラム蓋９０のシリンダに挿入される芯軸９７は、テフロンリップシール９４が芯軸の外周に設置されてテフロンリップシールのＯリング９４ｄがシリンダ鏡面９３ａに密着されている。テフロンリップシールは、市販の製品を使用するものであって、テフロンリング９４ａの内面に複数のリップ９４ｂがあり、テフロンリングの外周の環溝９４ｃにＯリング９４ｄ組み立てられている。芯軸９７は、テフロンリップシールと組み立てられるときにリップが一方に擦れて曲げられながら弾性で芯軸９７の外周に密着される。芯軸９７の外周は、このような組み立てを満足させるように直径と表面粗さを備えなければならない。リップの擦れ方向は、垂れたリップ９４ｂの端が製氷ドラムの方を向くようになってこそ、製氷ドラムの中で冷媒ガスの圧力が与えられた時にガス圧力がリップ９４ｂを芯軸９７の表面に加圧して密着させる作用を得ることができる。前記テフロンリップシールは、一つ以上、好ましくは三つを組み立てて使用することができる。テフロンリップシールのＯリング９４ｄは、前記シリンダ鏡面９３ａにゴム弾性で密着することで、回転するシリンダ鏡面９３ａとスリップされ、冷媒ガスの漏れを遮断することになる。前記シリンダ鏡面にＯリング用潤滑剤を塗布する。 
【０１４１】
芯軸９７の外側は、ドラムキャップ９０にベアリング９３ｄで組み立てられており、芯軸の外周のねじ９７ｂにナット９７ｃを締めることで、ドラム蓋のキャップ通路の内面の環状顎がナットと芯軸９７の環顎の間に閉じ込められて芯軸９７がドラム蓋９０から外されないように組み立てられ、芯軸９７の被着部９７ｆをブラケット９７ｇで製氷機フレームに組み立てることで、芯軸が製氷機に固定され、同時に芯軸９７がドラム蓋の回転によって回らないようになる。
【０１４２】
前記ドラム蓋、芯軸及びドラム蓋と芯軸の間に設置されたテフロンリップシールは、組み立てられた後、単位部品Ｐとして冷媒管路１５を組み立てる前に単位部品、またはサービス部品として活用される。具体的に、単位部品Ｐは、シールの冷媒遮断機能を試験するために圧縮空気試験装置にかけて一定の圧力を維持できるか検査することができ、製氷ドラム内部構成の故障の修理のための単位部品として供給されることができる。
【０１４３】
ＩＶ．図１１、図１２で、また他の一つのドラム蓋と芯軸が図示された。
【０１４４】
ドラム蓋９０は、配管軸２０のねじ２５に組み立てられるキャップねじ９１と、ドラム通路２１の密閉シートに密着されてドラム通路２１を密封するためのキャップシート９２と、芯軸９７をシリンダに収容して支えるキャップボディ９３と、キャップボディに設置されるベアリング９３ｄと、外側の蓋９３ｃで開閉されるシリンダ鏡面９３ａで構成された。
【０１４５】
ドラム蓋９０のシリンダに挿入される芯軸９７は、テフロンリップシール９４が芯軸の外周に設置されてテフロンリップシールのＯリング９４ｄがシリンダ鏡面９３ａに密着されている。テフロンリップシールは、既存の市販製品を使用するものであって、テフロンリング９４ａの内面に複数のリップ９４ｂがあり、テフロンリングの外周の環溝９４ｃにＯリング９４ｄが組み立てられている。芯軸９７は、テフロンリップシールと組み立てられるときにリップが一方に擦れて曲げられながら弾性で芯軸９７の外周に密着される。芯軸９７の外周は、テフロンリップの組み立てを満足させる直径と表面粗さを備えなければならない。リップの擦れ方向は、垂れたリップ９４ｂの端が製氷ドラムを向くようになってこそ、製氷ドラムの中で冷媒ガスの圧力が与えられたときにガス圧力がリップを芯軸の表面を押して密着力を保存させる力が得られる。前記テフロンリップシールは、一つ以上、好ましくは三つを組み立てて使用することができる。テフロンリップシールのＯリング９４ｄは、前記シリンダ鏡面９３ａにゴム弾性で密着されることで、回転するシリンダ鏡面９３ａで滑りながら冷媒ガスの漏れを遮断する役割をする。前記シリンダ鏡面にはオーリン用潤滑剤を塗布する。 
【０１４６】
芯軸９７の外側は、ベアリング９３ｄでドラムキャップ９０に組み立てられている。芯軸の外周のねじ９７ｂにナット９７ｃを締めることで、キャップ通路にあるドラム蓋９３ｃの芯軸に接している環状顎は、ナット９７ｃと芯軸９７の環顎の間に閉じ込められて芯軸９７がドラム蓋９０から分離されないように組み立てられ、芯軸９７の被着部９７ｆをブラケット９７ｇで製氷機フレームに固定させることで、芯軸が製氷機に組み立てられ、同時にドラム蓋の回転動作が干渉されなくなる。
【０１４７】
前記ドラム蓋、芯軸及びドラム蓋と芯軸の間に設置されたテフロンリップシールは、組み立てられた後、単位部品Ｐとして冷媒管路１５を組み立てる前に単位部品、またはサービス部品として活用される。具体的に、単位部品Ｐは、シールの冷媒遮断機能を試験するために圧縮空気試験装置にかけて一定の圧力を維持できるか検査することができ、製氷ドラム内部構成の故障の修理のための単位交換部品として供給することができる。
【０１４８】
Ｖ．図１３、１４で、他の一つのドラム蓋と芯軸が図示された。
【０１４９】
ドラム蓋９０は、配管軸２０のねじ２５に組み立てられるキャップねじ９１と、ドラム通路２１の密閉シートに密着されてドラム通路２１を密封するためのキャップシート９２と、芯軸９７をシリンダに収容して支えるキャップボディ９３と、キャップボディの外側に設置されるベアリング９３ｄと、製氷ドラムの方へ開けられたシリンダ９３ｅの内面に潤滑層９３ｂで構成された。潤滑層９３ｂは、シリンダ９３ｅを加工した鏡面であるか、テフロンコーティングをして潤滑層を設けたものであるか、またはテフロン類の潤滑性材料でカップを形成して組み立てたもののうちいずれか一つである。
【０１５０】
潤滑層９３ｂのあるドラム蓋９０のシリンダ９３ｅの中にドラムシール９５が挿入され、Ｏリング９５ｃが回転体である潤滑層９３ｂにゴム弾性で加圧され、加圧状態で滑りながら冷媒ガスが漏れることを遮断する。前記ドラムシール９５は、芯軸９７の外周にドラム９５ａを形成し、ドラムに環溝９５ｂを掘った後、環溝にＯリング９５ｃを嵌めたものである。前記Ｏリング９５ｃは、一つ以上で設置され、好ましくは３つ乃至５つである。前記ドラムシール９５は、芯軸９７と分離製作して芯軸に組み立てることもできる。前記潤滑層にはオーリン用潤滑剤を塗布する。 
【０１５１】
芯軸９７の外側は、ベアリング９７ｄでドラムキャップ９０に組み立てられており、芯軸の外周のねじ９７ｂにナット９７ｃを締めることで、ドラム蓋の内面の環状顎は、ナット９７ｃと芯軸９７の環顎の間に閉じ込められて芯軸９７がドラム蓋９０から抜けないように組み立てられ、芯軸９７の被着部９７ｆをブラケット９７ｇで製氷機フレームに組み立てられることで、芯軸が製氷機に固定され、同時にドラム蓋の回転によって芯軸が回らないようになる。
【０１５２】
前記ドラム蓋、芯軸及びドラム蓋と芯軸の間に設置される前記ドラムタイプのシール組立体は、組み立てられた後、単位部品Ｐとして冷媒管路１５を組み立てる前に単位部品、またはサービス部品として活用される。具体的に、単位部品Ｐは、シールの冷媒遮断機能を試験するために圧縮空気試験装置にかけて一定の圧力を維持できるか検査することができ、製氷ドラム内部構成の故障の修理のための単位部品として供給されることができる。
【０１５３】
また、本発明のＩ乃至Ｖにおいて、芯軸の空間に冷媒管路１５が挿入され、連結部と冷媒管路は溶接１５ｄで組み立てられた。冷媒管路１５は、容易な溶接１５ｄのために芯軸の空間に丁度合うように挟まれるタイバンド１５ｃで冷媒管路を束ねて先に溶接しておくことで、芯軸の連結部と冷媒管路の溶接作業が容易となり、溶接不良による冷媒ガスの漏れ不良を減らすことができる。 
【０１５４】
前記冷媒管路１５の一部は、冷媒管路の組み立てを助けるためにパイプをスプリング１５ｅ形で巻く。パイプスプリング１５ｅは、パイプの作業柔軟性を高め、製氷ドラムサービス、詳しくはサービスドア１９を開け、サービス窓１８で製氷ドラムのドラム蓋を分離したり、組み立てたりするなどの製氷ドラム関連作業を行う際に役立つ。
【０１５５】
図１９において、製氷機キャビネットＣは、サービスドア１９を備えている。サービスドア１９は、前記製氷ドラムサービスに十分な大きさで形成される。前記サービスドアは、製氷機キャビネットの側板全体を開閉できるように形成してもよい。 
【０１５６】
サービスドア１９は、サービス窓１８を開閉する。サービス窓１８は、キャビネットの外部で製氷ドラム１０のドラム蓋に接近してドラム蓋を開閉できるようにキャビネットＣの壁に形成されたサービス窓１８である。製氷機を組み立てるときに、または製氷ドラム内部構成のサービス要求があるときにサービスドア１９を開き、サービス窓１８を通じて芯軸が組み立てられたドラム蓋を製氷ドラムから分離した後、開けられたドラム通路２１で芯軸を交換したり、シール組立体を修理したりすることができる。このような修理作業は、従来、製氷機において、製氷ドラムをフレームから分離してこそ可能であった複雑な作業の大半を省略できることで、極めて単純化した作業で製氷ドラムを修理することができる。
【０１５７】
前記ドラム蓋を製氷ドラムから分離したり、逆に組み立てたりするときにレンチ溝２４に工具を噛ませて製氷ドラム１０を固定する。 
【０１５８】
図２０にドラム蓋の組み立て過程又はサービス分解及び組み立て過程が図示された。
【０１５９】
ドラム蓋組立体１００は、ドラム蓋、芯軸及びシールセットが組み立てられた部品である。
【０１６０】
まず、単位部品Ｐに冷媒管路１５を組み立ててドラム蓋（３０又は６０、あるいは９０）組立体１００を得る。前記ドラム蓋組立体１００の毛細管１５ａと回収管１５ｂを冷凍機の圧縮機１５０とコンデンサ１５０ａに連結した後、サービス窓１８で製氷ドラム１０の配管軸２０に組み立てる。その後、サービス窓１８にサービスドア１９を組み立てて、スノーアイス製氷機の組み立てを完了する。
【０１６１】
冷却系列サービスをするときは、製氷機キャビネットでサービスドア１９を開け、配管軸２０からドラム蓋を分離した後、ドラム通路２１で製氷ドラムの中にあるドラム蓋組立体１００を取り出して単位部品Ｐの修理または単位部品Ｐの交換作業を行う。また、逆順に組み立てる。
【０１６２】
前記冷凍機と冷媒管路１５の連結は、溶接継手とするか、又はカプラー継手とすることができる。 
【０１６３】
ＶＩ．スノーアイス製氷機は、製氷水１３６を殺菌処理するための紫外線光殺菌処理装置が提供されている。
【０１６４】
図２１は、紫外線ランプ殺菌処理装置が含まれたスノーアイス製氷機製氷制御部の部分ブロック図である。
【０１６５】
紫外線ランプ殺菌処理装置において、第１の紫外線ランプ１４０と第２の紫外線ランプ１４０ａは、スノーアイス製氷機製氷制御部１１０に連結され、制御信号に反応して駆動電流をオン・オフする駆動ドライバ１４１から駆動電流を供給されて駆動される。 また、製氷機製氷制御部に殺菌制御プログラムが含まれた。殺菌制御プログラムは、前記製氷機の駆動信号及び駆動停止信号に同期して、紫外線ランプ駆動信号及び駆動停止信号を紫外線ランプ駆動ドライバに提供するようにプログラムされた。
【０１６６】
前記第１の紫外線ランプ１４０は、棒状ガラス管の周りに製氷水ポンプ１３０ａの透明ホースを螺旋に巻いた構成である。この構成により、製氷水１３６が揚水されてポンプ１３０ａから製氷水容器１３４に伝達される過程で紫外線光が羅先に巻かれた透明ホース壁を透過してホース内を流れる製氷水に照射される。
【０１６７】
第２の紫外線ランプ１４０ａは、製氷水容器１３４の上に設置されており、紫外線光が製氷水容器１３４に盛られた製氷水の水面に照射される。
【０１６８】
単位部品の試験 
【０１６９】
単位部品Ｐの冷媒ガス遮断機能試験のための圧縮空気試験装置にかけて一定の冷媒ガス圧の維持能力があるか試験する装置例を図２４に図示した。
【０１７０】
部品Ｐは、ドラム蓋、芯軸及びドラム蓋と芯軸の間に冷媒遮断手段が組み立てられた前記製氷機部品である。
【０１７１】
試験過程は、１．ドラム蓋を製氷機製氷ドラムの回転数（１分に１０乃至２０の範囲内での所定の数）に回転される圧縮空気チューブＰ１に組み立てる。 
【０１７２】
２．芯軸の空間（冷媒管路が組み立てられる部分）部分を空気圧縮機Ｐ２に連結する。       
【０１７３】
３．空気圧縮機Ｐ２を駆動して圧縮空気チューブＰ２に製氷ドラムの中で発生する冷媒ガス圧力（５乃至３０ｋｇ／ｃｍ２の範囲内での所定の空気圧力）を加え、設定圧力になると空気圧縮機の駆動を中止させる。
【０１７４】
４．所定時間の間、空気圧力メータで圧縮空気チューブＰ１内の空気圧力の変動を調査する。
【０１７５】
５．空気圧力メータを調査した結果、１時間の間に圧力変動がない場合、合格品として取り扱う。
【０１７６】
前記検査過程で検別できる単位部品Ｐの圧縮空気の維持力が冷媒ガス圧の維持能力基準とされた後、前記段階を通じて部品Ｐを検査して検査済みの製品として需要に提供される。
【０１７７】
このように、本発明は、単位部品Ｐを検査済みの製品として提供することができ、製品検査を通じた製氷機の品質向上に寄与することができる。
【０１７８】
ＶＩＩ．製氷機の駆動積算装置
【０１７９】
本発明のスノーアイス製氷機に、製氷ドラム、製氷水ポンプ、及び冷媒圧縮機の駆動量を記録する積算計器が提供されている。
【０１８０】
積算対象は、駆動時間積算、駆動電力積算、または揚水量の積算である。
【０１８１】
図２１は、スノーアイス製氷機の製氷制御部に設置されている駆動時間積算装置を含めている。 
【０１８２】
図２１において、製氷ドラムの駆動時間積算装置は、製氷ドラム１０の駆動モータ１２０を製氷ドラム駆動ドライバ１２１を経てスノーアイス製氷機製氷制御部１１０に連結し、製氷ドラム積算表示部１１２を製氷制御部１１０に連結させた構成である。
【０１８３】
前記製氷ドラムの駆動時間積算装置は、製氷ドラム駆動時間積算のための不揮発性製氷ドラムメモリと、製氷ドラム駆動時間を計数するための製氷ドラムタイマーと、製氷ドラム駆動時間積算プログラムがスノーアイス製氷機の制御プログラムに追加された。 前記製氷ドラムメモリは、製氷機の初回駆動時に一回クリアされる。
【０１８４】
前記タイマーは、ソフトウェアのタイマーであり、機械式タイマーに代替されることができる。以下、同様である。
【０１８５】
前記製氷ドラム駆動時間積算プログラムは、製氷制御部１１０で製氷ドラム駆動信号を製氷ドラム駆動ドライバ１２１に伝送するとき、前記製氷ドラムタイマーを駆動させ、一定の積算時間例としては、１分ごとに前記製氷ドラムタイマーに計数された製氷ドラム駆動時間を読み、前記製氷ドラムメモリの既存値に加えて積算値を更新し、更新した積算値を前記製氷ドラムメモリに保存した後、製氷ドラムタイマーを初期化して再駆動し、前記製氷ドラムメモリに保存された値を製氷ドラム積算表示部１１２に表示する。 
【０１８６】
製氷ドラム駆動時間積算プログラムは、製氷制御部１１０が製氷ドラム駆動ドライバ１２１に製氷ドラム駆動中止信号を送信するときに前記製氷ドラムタイマーの時間を読み込んで、前記製氷ドラムメモリのデフォルト値に加えて積算値を更新して保存し、前記製氷ドラムタイマーをクリアする。 
【０１８７】
図２１において、揚水時間の積算装置は、製氷水揚水ポンプ１３ａの駆動モータ１３０がポンプ駆動ドライバ１３１を経てスノーアイス製氷機製氷制御部１１０に連結され、揚水積算表示部１１３が製氷制御部１１０に連結された構成である。
【０１８８】
前記揚水時間の積算装置は、揚水時間積算のための不揮発性ポンプメモリと、揚水時間を計数するためのポンプタイマーと、揚水時間積算プログラムがスノーアイス製氷機制御プログラムに追加される。前記ポンプメモリは、製氷機の初回駆動時に一回クリアされる。
【０１８９】
前記揚水時間積算プログラムは、製氷制御部１１０がポンプ駆動モータの駆動信号をポンプ駆動ドライバ１３１に伝送するとき、前記ポンプタイマーを駆動させ、一定の積算時間例としては、１分ごとに前記ポンプタイマーに計数されたポンプ駆動時間を読んで前記ポンプメモリの既存値に加え、この積算値を前記ポンプメモリに保存した後、前記ポンプタイマーを初期化して再駆動し、前記ポンプメモリ値をポンプ積算表示部１１３に表示する。 
【０１９０】
揚水時間積算プログラムは、製氷制御部１１０がポンプ駆動ドライバ１３１にポンプ駆動中止信号を送信するときに前記ポンプタイマーの時間を前記ポンプメモリの既存値に加えて更新し、更新した積算値を保存し、前記ポンプタイマーを初期化する。
【０１９１】
図２１において、圧縮機駆動時間積算装置は、冷媒圧縮機１５０が圧縮機駆動ドライバ１５１を経てスノーアイス製氷機製氷制御部１１０に連結され、製氷ドラム積算表示部１１５が製氷制御部１１０に連結された構成である。
【０１９２】
前記圧縮機駆動時間積算装置は、圧縮機駆動時間積算のための不揮発性圧縮機メモリと、圧縮機駆動時間を計数するための圧縮機タイマーと、圧縮機駆動時間積算プログラムがスノーアイス製氷機制御プログラムに追加されて構成される。前記不揮発性圧縮機メモリは、製氷機の初回駆動時に一回初期化される。
【０１９３】
前記圧縮機駆動時間積算プログラムは、製氷制御部１１０で圧縮機駆動モータの駆動信号を圧縮機駆動ドライバ１５１に伝送するとき、前記圧縮機タイマーを駆動させ、一定の積算時間例としては、１分ごとに前記圧縮機タイマーに計数された圧縮機駆動時間を読んで前記圧縮機メモリの既存値に加えて積算値を更新し、前記圧縮機メモリに保存した後、前記圧縮機タイマーを初期化して再駆動し、前記圧縮機メモリ値を圧縮機積算表示部１１５に表示する。 
【０１９４】
前記圧縮機駆動時間積算プログラムは、製氷制御部１１０で圧縮機駆動ドライバ１５１に圧縮機駆動中止信号を送信するときに前記圧縮機タイマーの時間を前記圧縮機メモリ値に加えて積算値を更新した後、保存し、前記圧縮機タイマーを初期化する。
【０１９５】
図２２は、スノーアイス製氷機の製氷制御部に付加設置されている製氷ドラム駆動電力積算装置のブロック図である。 
【０１９６】
前記製氷ドラム駆動電力積算装置の構成は、製氷ドラム１０の駆動モータ１２０が製氷ドラム駆動ドライバ１２１を経てスノーアイス製氷機製氷制御部１１０に連結され、製氷ドラム駆動電力積算のための製氷ドラム駆動電力積算計器１２３が表示部に設置され、前記製氷ドラム駆動電力積算計器は、製氷ドラム駆動ドライバ１２１の駆動電流出力端に電力積算を行うことができるように連結された構成である。
【０１９７】
前記製氷ドラム駆動電力積算計器１２３は、製氷制御部が製氷ドラム駆動ドライバ１２１に駆動信号を送信して製氷ドラム駆動モータ１２０に駆動電流が出力されると、製氷ドラム駆動電力積算計器は、この出力電流から消費電力量を検出して積算する。製氷制御部１１０で製氷ドラム駆動ドライバにモータ停止信号を送信すると、製氷ドラム駆動モータの出力電流が消滅して電力積算も中止される。 
【０１９８】
図２２において、揚水ポンプ駆動電力積算装置は、揚水ポンプ１３０ａの駆動モータ１３０がポンプ駆動ドライバ１３１を経てスノーアイス製氷機製氷制御部１１０に連結され、ポンプ駆動電力積算計器１３３が表示部に設置され、ポンプ駆動電力積算計器がポンプ駆動ドライバ１３１の駆動電流出力端に電力積算を行うことができるように連結される構成である。
【０１９９】
前記ポンプ駆動電力積算計器１３３は、製氷制御部１１０でポンプ駆動ドライバ１３１に、駆動信号を送信してポンプ駆動モータ１３０に駆動電流が出力されると、ポンプ駆動電力積算計器は、この出力電流から消費電力量を検出して積算する。製氷制御部１１０のポンプ駆動ドライバにモータ停止信号を送信すると、ポンプ駆動モータの出力電流が消滅して電力積算も中止される。
【０２００】
図２２において、圧縮機駆動電力積算装置は、冷媒圧縮機１５０ａが圧縮機駆動ドライバ１５１を経てスノーアイス製氷機製氷制御部１１０に連結され、圧縮機駆動電力積算計器１５３が表示部に設置され、圧縮機駆動電力積算計器は、圧縮機駆動ドライバ１５１の駆動電流出力端に電力積算を行うことができるように連結された構成である。
【０２０１】
前記圧縮機駆動電力積算計器１５３は、製氷制御部１１０で圧縮機駆動ドライバ１５１に駆動信号を送信して圧縮機１５０に駆動電流が出力されると、圧縮機駆動電力積算計器は、この出力電流から消費電力量を検出して積算する。製氷制御部１１０で圧縮機駆動ドライバに停止信号を送信すると、圧縮機を駆動する出力電流が消滅して電力積算も中止される。
【０２０２】
図２３において、揚水量積算装置は、揚水ポンプ１３０ａの駆動モータ１３０がポンプ駆動ドライバ１３１を経てスノーアイス製氷機製氷制御部１１０に連結され、揚水ポンプ１３０ａの吸収管に水量積算メータ１３３ａを設置した構成である。
【０２０３】
製氷制御部１１０でポンプ駆動ドライバ１３１に駆動信号を送信してポンプ駆動モータ１３０が駆動され、またポンプ１３０ａで揚水動作が行われると、水量積算メータから揚水される水量が積算され、ポンプ１３０ａが駆動を中止すると、これに伴って水量積算メータ１３３ａの駆動も停止され、水量積算が中止される。
【図１】
2018507380.tif 000003
【図２】
2018507380.tif 000004
【図３】
2018507380.tif 000005
【図４】
2018507380.tif 000006
【図５】
2018507380.tif 000007
【図６】
2018507380.tif 000008
【図７】
2018507380.tif 000009
【図８】
2018507380.tif 000010
【図９】
2018507380.tif 000011
【図１０】
2018507380.tif 000012
【図１１】
2018507380.tif 000013
【図１２】
2018507380.tif 000014
【図１３】
2018507380.tif 000015
【図１４】
2018507380.tif 000016
【図１５】
2018507380.tif 000017
【図１６】
2018507380.tif 000018
【図１７】
2018507380.tif 000019
【図１８】
2018507380.tif 000020
【図１９】
2018507380.tif 000021
【図２０】
2018507380.tif 000022
【図２１】
2018507380.tif 000023
【図２２】
2018507380.tif 000024
【図２３】
2018507380.tif 000025
【図２４】
2018507380.tif 000026
【国際調査報告】
2018507380.tif 000027
2018507380.tif 000028
2018507380.tif 000029
2018507380.tif 000030